(57)【要約】【課題】簡単かつ商品価値を下げることなく眼球保持が図り得るソフトビニル製大型人形の頭部構造を提供することである。【解決手段】熱可塑性樹脂にて内部中空状に形成された軟質性頭部本体Ｋと、該頭部本体の顔正面に眼球露出穴Ｋ１１を開口せしめて頭部本体の内部に袋状に突設されている眼球保持部Ｋ１と、前記頭部本体における後頭部領域に設けた操作開口部Ｋ２と、該開口部に着脱可能に取り付けられる蓋部Ｋ３と、前記眼球保持部に嵌入されて滑動自在に保持される眼球Ｋ４とで構成され、前記眼球保持部の眼球露出穴と対向する底部には眼球よりも小径な眼球嵌入穴Ｋ１２が設けられ、前記眼球には眼球遊動操作部Ｋ４２が備えられ、該眼球遊動操作部は前記眼球嵌入穴を通して頭部本体内に突出している。【選択図】  図１
2005118341.tif 000002
【特許請求の範囲】
【請求項１】
熱可塑性樹脂にて内部中空状に形成された軟質性頭部本体と、
該頭部本体の顔正面に眼球露出穴を開口せしめて頭部本体の内部に袋状に突設されている眼球保持部と、
前記頭部本体における後頭部領域に設けた操作開口部と、
該開口部に着脱可能に取り付けられる蓋部と、
前記眼球保持部に嵌入され、該保持部内周に摺接して滑動可能に保持される眼球とで構成され、
前記眼球保持部の眼球露出穴と対向する底部には眼球よりも小径な眼球嵌入穴が設けられ、
前記眼球には眼球遊動操作部が備えられ、該眼球遊動操作部は前記眼球嵌入穴を通して頭部本体内に突出していることを特徴とするソフトビニル製人形の頭部構造
【請求項２】
熱可塑性樹脂により、配設対象眼球の径よりも小径とする眼球露出穴を顔正面に開口せしめた眼球保持部が内方に向けて袋状に突設され、かつ後頭部側の任意の領域に操作開口部を設けた内部中空状の頭部本体を成形する工程と、
前記眼球保持部における眼球露出穴と対向する底部に、配設対象眼球の径よりも小径な領域の眼球嵌入穴を形成する工程と、
少なくとも前記眼球嵌入穴周辺を加熱すると共に、眼球遊動操作部を備えた眼球を嵌入し、該眼球遊動操作部を頭部本体の中空内部に位置させた状態で嵌め込み配設する工程と、
前記後頭部側の操作開口部に着脱可能に蓋部を配設する工程と、
により構成されていることを特徴とするソフトビニル製人形の頭部製造方法。
【請求項３】
請求項２に記載の製造方法により製造されたことを特徴とするソフトビニル製人形の頭部構造。
【発明の詳細な説明】
【技術分野】
【０００１】
本発明は、ソフトビニル製人形の頭部構造の改良に関するものである。
【背景技術】
【０００２】
昨今、世界的なフィギュアブームを迎え、１/６サイズ（２８ｃｍ位）の人形から大型（６０ｃｍ）サイズへと、日本を初め世界各国で需要が高まっている。
このような６０ｃｍ大型人形に込められたコンセプトは、片手サイズの着せ替え人形を大きくすることであるが、１/６サイズ人形のユーザにも、違和感が無く受け入れられるように、「軽い」・「良く動く」・「転倒しても破損しない」・「量産可能」、更に「無理のない価格で買える」等の需要者ニーズにも応えることが必要である。
【０００３】
現在、例えば、「ビスクドール」と呼ばれている白磁器製・粘土製（焼成・非焼成）の人形や、硬質樹脂、硬質無発泡ウレタン樹脂、ＦＲＰなどからなる人形が知られている。
この様な従来の人形は全て硬質に出来ており、アンダーカットがある形状の部分は、成形型からの取出しが出来ないので、別に成形部品を作り、対応しなければならなかった。その結果、部品点数の増加と共に型数も増え、型代（型代金）と成型工程（工賃）も共に増加することから、製品価格がソフトビニル製品に比較して高くなる。また、このビスクドールと呼ばれる人形は量産が望めるものではない。
また、ビスクドールと呼ばれる人形に代り、無発泡ウレタン樹脂製人形が一般的に市場に出廻っているが、この様な硬質素材の成型は、成形型へ原料を注入してから硬化する迄の成形時間や、型から取出して成形する等の時間が、ソフトビニル製品と比較すると時間が掛かり、結果として成型工賃も高くなっている。この種の人形もソフトビニル製品と比較して量産は望めない。
【０００４】
また、これらの硬質製品は製品自体も肉厚となり重量もソフトビニル製品よりも数倍も重く取り扱いの点で需要者の不満があるだけではなく、室内に置物として立たせておいた時に転倒したり、あるいは落下したりした場合、鼻・耳・あるいは手の指等が破損・欠落する虞が非常に高い。また、成型後の肌の表面の感触が悪く、表面塗装は施されているが、汚れやすく、かつ汚れを除去しにくいという難点があり、取り扱いが非常に難しい。
【０００５】
従って、上述した従来品は、破損し易い、汚れ易い、重量がある、価格が高額、などの種々の不具合を抱えており需要者ニーズに応えられていなかった。
【０００６】
なお、１/６サイズ（２８ｃｍ位）の人形にはソフトビニル製の商品もあり、この種の大型製品を単に安価に提供しようと考えれば、大型人形をソフトビニル製で作製すればよい。
しかし、単に１/６サイズと同様に内部中空状に成形しただけでは、人形を立たせた時に、人形の全重量が胴と足の付け根や、足首部分に掛かりその重量負担に耐えられず、変形・転倒してしまうので、その様な（ソフトビニル製の）大型人形は今迄市場に提供されていなかったのが現状である。
そこで、本願発明者は、このような需要者ニーズに応えるべく、特有の骨格構造を備えた新規有用なソフトビニル製の人形を先に提供している（例えば、特許文献１参照）。
【特許文献１】特願２００３−０１３７７５
【発明の開示】
【発明が解決しようとする課題】
【０００７】
さらにこのような需要者ニーズに応えることのできたソフトビニル製の人形を本願発明者が提供していくにしたがって、一つの課題が見えてきた。
すなわち、このような人形の場合、別途アクリル材などで形成・装飾した眼球を、頭部本体の内部に備えた眼球保持部に取り付けるものである。このような眼球を備えることにより、よりリアル感を与えることができる。また、需要者は、その日の気分・好みによって人形の眼球の色などを変えたいと欲することが多く、眼球の交換が容易に行い得る構造を備えた人形の提供も望んでいる。
【０００８】
上述のビスクドールや無発泡ウレタン樹脂製人形で上述のような眼球を備えているものがあったが、これらの人形は硬質のため、眼球径よりも小径で顔正面に開口させた眼球露出穴と、該穴と連通させて頭部本体内面に眼球よりも大径に凹設させた凹部とで眼球保持部を構成し、頭部本体の後頭部に設けた開口部を介して前記凹部に眼球を配設した後に、別途用意した眼球固定部材で前記凹部を閉蓋して眼球を保持していたものである。
しかし、上述のように眼球固定部材を別途必要としていたため、その眼球固定部材の取付作業が必要で作業手間を要していたばかりか、その加工工賃も割高となっていた。
【０００９】
また、従来の人形で、上述のような眼球を備えているものには、図１５に示す眼球保持構造を有しているものもあった。
【００１０】
図１５（ａ）に示す従来構造の場合、眼球４００の径よりも小径で顔正面に開口させた眼球露出穴３０１と、該穴３０１と連通させて頭部本体内面に眼球４００よりも大径に凹設させた凹部３０２とで眼球保持部３００を構成し、頭部本体の後頭部に設けた開口部を介して前記凹部３０２に眼球４００を配設した後に、別途用意した眼球固定部材５００で眼球を押さえつけて固定していたものである。
しかし、上述の通り、眼球４００よりも大径の凹部３０２に眼球４００を配設した後に、眼球４００の視線位置を決めて、眼球固定部材５００で後方から眼球４００を押さえつけて固定していたが、一度決めた眼球４００の視線位置を維持した状態で眼球固定部材５００により眼球４００を固定させることは困難であった。すなわち、凹部３０２内に配設した眼球４００は、眼球４００よりも大径な凹部３０２内で転動し易いため、眼球４００の視線位置を決めたとしても、眼球固定部材５００で眼球を押さえつけて固定させた時にその視線位置がずれてしまう確率が極めて高いものである。このように、人形の左右の眼球の視線が異なる方向に向いていたりしては、人形の表情が損なわれ商品価値の低下を招くものである。「目は口ほどにものを言う」との諺があるように、眼球の視線は人形の表情を左右する重要な構成要素である。
また、この従来技術の眼球固定部材５００は着脱自在に頭部本体内面に取り付けられているため、購入後の需要者による眼球４００の交換も可能ではある。しかし、眼球交換時にわざわざ眼球固定部材５００を取り外さなければならず煩わしいばかりか、眼球４００を交換し、視線位置を調整した後に再度眼球固定部材５００を位置合わせして眼球４００の後方から、該眼球４００を押さえつけるようにして固定しなければならず大変面倒であった。
また、上述のように人形製造者側であっても眼球の視線調整が困難な状況下においては、需要者が個人で眼球の交換はできても、交換後の視線調整まで行うことは大変困難で思ったとおりの視線位置を得ることができない場合がある。
【００１１】
また、図１５（ｂ）に示すように、眼球保持部６００に眼球４００を配設した後に、眼球保持部６００の周縁と眼球４００とをパテ７００により着脱自在に止める構成を有し、これにより視線位置を調整可能としていた従来技術もあった。
しかし、この方法を採用するものでは、眼球４００の視線調整時点や眼球４００の交換時点などにあって、一々パテ７００を取り外して眼球４００の位置調整をし、その後再度パテ７００を用いて固着させる必要があり、パテ７００の着脱作業が面倒であった。また、この種の構造であっても、パテ７００で固着する際に予め設定した視線位置とした眼球４００がずれてしまうことがあり、図１５（ａ）の従来技術と同様に需要者のニーズに応え難いものであった。
【００１２】
さらに、スラッシュ成形によるソフトビニル製品には、図１５（ｃ）に示すように、顔の正面に開けた眼球露出穴８００と連通する眼球保持部９００が頭部内に袋状に形成されており、その眼球露出穴８００を介して顔正面から眼球保持部９００内に眼球４００を嵌入させて組み立てているものも知られている。
しかし、このような従来品では、眼球保持部９００に眼球４００を組み込んだ後は、この眼球４００を操作するという思想も構造もないものであるため、需要者が人形購入後に、人形の眼球４００の視線位置を自在に調整するという操作ができるものではなかった。
また、眼球露出穴８００を介して顔正面方向から眼球４００を嵌入させる構造であったため、この眼球露出穴８００にまつ毛を取り付けることができなかった。すなわち、まつ毛は、よりリアリティを出すため眼球露出穴８００の外側ではなく、眼球保持部９００の眼球露出穴８００寄りの縁部に接着剤を用いて取り付けられるものであるため、眼球４００を嵌入した後では、まつ毛を取り付けることは不可能であるか、できたとしてもかなりの熟練を要していた。
なお、まつ毛を先に取り付けた後に眼球４００を嵌入させようとすると、まつ毛が邪魔になって眼球４００を嵌入することはできない。無理矢理嵌入させようとすると、まつ毛を損傷してしまう確率が極めて高い。
また、昨今、人形にもまつ毛を長くしたり、まつ毛の色を変えたりと、おしゃれを施したいとの要望が高いが、上述の従来品では、まつ毛を付け替えるなどという操作は到底できず、需要者ニーズ応えることはできない。
【００１３】
本発明は従来技術の有するこのような問題点に鑑みなされたもので、その目的とするところは、簡単かつ商品価値を下げることなく眼球保持が図り得るソフトビニル製人形の頭部構造を提供することである。
【課題を解決するための手段】
【００１４】
本発明は、上記課題を解決するために、熱可塑性樹脂にて内部中空状に形成された軟質性頭部本体と、該頭部本体の顔正面に眼球露出穴を開口せしめて頭部本体の内部に袋状に突設されている眼球保持部と、前記頭部本体における後頭部領域に設けた操作開口部と、該開口部に着脱可能に取り付けられる蓋部と、前記眼球保持部に嵌入され、該保持部内周に摺接して滑動可能に保持される眼球とで構成され、前記眼球保持部の眼球露出穴と対向する底部には眼球よりも小径な眼球嵌入穴が設けられ、前記眼球には眼球遊動操作部が備えられ、該眼球遊動操作部は前記眼球嵌入穴を通して頭部本体内に突出していることを特徴とするソフトビニル製人形の頭部構造とした。
【００１５】
上記頭部構造を提供する手段として、熱可塑性樹脂により、配設対象眼球の径よりも小径とする眼球露出穴を顔正面に開口せしめた眼球保持部が内方に向けて袋状に突設され、かつ後頭部側の任意の領域に操作開口部を設けた内部中空状の頭部本体を成形する工程と、前記眼球保持部における眼球露出穴と対向する底部に、配設対象眼球の径よりも小径な領域の眼球嵌入穴を形成する工程と、少なくとも前記眼球嵌入穴周辺を加熱すると共に、眼球遊動操作部を備えた眼球を嵌入し、該眼球遊動操作部を頭部本体の中空内部に位置させた状態で嵌め込み配設する工程と、前記後頭部側の操作開口部に着脱可能に蓋部を配設する工程とからなる製造方法とした。また、このような製造方法により製造された頭部構造によっても上記課題を解決するものとした。
【００１６】
上述の構造によれば、ソフトビニル製であるため加工工賃も安価で商品価格も安価に設定することができる。
また、本発明によれば、頭部本体の後頭部に備えた蓋部を外し、そして眼球保持部の眼球嵌入穴を拡開せしめて眼球を嵌入させる。この眼球嵌入穴は、眼球嵌入時に拡開して眼球を眼球保持部に収容した後は、再び元の開口径に戻り、該開口径が眼球の径よりも小径であるため、眼球がこの嵌入穴から抜け落ちてしまうという不都合もない。そして、その後再び後頭部の操作開口部を蓋部によって閉蓋すればよい。
【００１７】
また、需要者によっては、人形の視線を好みによって変えてみたいと考えることがある。そのような場合には、後頭部の蓋部を外し、眼球保持部に収容されている眼球から、前記眼球嵌入穴を通して突出している眼球遊動操作部を摘んで上下左右に動かすことにより、人形の視線を好みの視線に設定することができる。そして、設定した後には再び後頭部を蓋部によって閉蓋すればよい。本発明によれば、内周に眼球が滑動可能に保持され、かつ眼球の径よりも小径状の眼球露出穴と眼球嵌入穴を備えた袋状に眼球保持部が形成されているため、該眼球保持部に嵌入保持される眼球は、該眼球嵌入後に収縮する保持部の収縮力によって密接状に保持される。従って、従来のように眼球固定部材などを接着剤などで固定して眼球の脱落を防止するものではなく、何等別途固定部材を必要としなくとも眼球保持部から眼球が脱落しないのは勿論のこと、眼球を上下左右に動かして視線の調整をする際にも、眼球外周と保持部内周との摩擦力により、任意位置での眼球保持が容易かつ確実に行い得る。
すなわち、「目は口ほどにものを言う」との諺があるように、眼球の視線は人形においても大変重要な表情構成要素で、本発明によれば上述のように眼球遊動操作部の操作によって、「上目使い」・「伏し目」・「横目使い」などの顔表情の変化表現が容易に行い得るため、多彩な表情表現を楽しむことのできる人形を提供することができる。
なお、頭部本体に備える蓋部は外方から直視されると考えられるが、人形の頭部にカツラを被せることにより何等問題とはならず需要者のニーズに反することもない。
【００１８】
従って、本発明によれば、眼球の取り付けに別部材を必要としないため、作業手間も掛からず、眼球固定時の煩わしさもなく、さらに部品点数も少なく加工工賃・組立工賃などを低く抑えることができる。
また、本発明によれば、眼球の取り付け前に、接着剤を介してまつ毛を取り付け、その後、眼球を眼球嵌入穴から嵌入させればよい。このような作用を有することから、眼球の交換・まつ毛の交換が容易に行い得る。
【００１９】
なお、上述した頭部構造は、例えば次のようなソフトビニル製人形の頭部構造に採用するとよい。
すなわち、左右の脚部骨格と、該左右の脚部骨格に連結される腰部骨格と、該腰部骨格に連結される胴部骨格と、該胴部骨格と連結される左右の腕部骨格と、該胴部骨格の腰部骨格連結部と対峙する側に着脱可能に備えられる首部骨格とで構成される一連の人形骨格群と、上記夫々の骨格外周に備えられる脚部外皮と、腰部外皮と、胴部外皮と、腕部外皮と、頭部外皮とで構成されるソフトビニル製の人形外皮群とで構成され、左右の脚部骨格は、足部外皮の開口縁が嵌着される足部外皮嵌着部と、下脚外皮の下端開口縁が嵌着される下脚外皮下端嵌着部とを有し、該両者の連結部にて回動可能な構造を有する足首部と、下脚外皮の上端開口縁が嵌着される下脚外皮上端嵌着部と、上脚外皮の下端開口縁が嵌着される上脚外皮下端嵌着部とを有し、両者の連結部にて回動可能な構造を有する膝部と、該足首部の下脚外皮下端嵌着部と膝部の下脚外皮上端嵌着部との間にわたって嵌脱自在に掛け渡される脛用補強連結杆と、上脚外皮の上端開口縁が嵌着される上脚外皮上端嵌着部と、腰部骨格の脚付け根部側連結部を連結する腰部骨格連結部とを有する脚付け根部と、該脚付け根部の上脚外皮上端嵌着部と膝部の上脚外皮下端嵌着部との間にわたって嵌脱自在に掛け渡される太腿用補強連結杆とで構成され、腰部骨格は、少なくとも、左右の脚付け根部の腰部骨格連結部と回動可能に連結する脚付け根部側連結部と、胴部骨格の下端側と連結する胴部下端骨格連結部とを備えて構成され、胴部骨格は、少なくとも、腰部骨格の上端側と連結する腰部骨格連結部と、左右の腕部骨格と夫々連結する腕部骨格連結部とを備えて構成され、左右の腕部骨格は、少なくとも、前記胴部骨格の腕部骨格連結部と連結される胴部上端骨格連結部と、上腕外皮の上端開口縁が嵌着される上腕外皮上端嵌着部とを備えてなる肩部と、上腕外皮の下端開口縁が嵌着される上腕外皮下端嵌着部と、下腕外皮の上端開口縁が嵌着される下腕外皮上端嵌着部とを有し、両者の連結部にて回動可能な構造を有する肘部と、下腕外皮の下端開口縁が嵌着される下腕外皮下端嵌着部と、手部外皮の開口縁が嵌着される手部外皮嵌着部とを有し、両者の連結部にて回動可能な構造を有する手首部とを備えて構成され、首部骨格は、首部外皮の開口が挿着される首部外皮挿着部と、頭部外皮の開口縁が嵌着される頭部外皮嵌着部とで構成されて、胴部骨格の腰部骨格連結部と対峙する側に着脱可能に備えられ、この頭部外皮嵌着部は、首部外皮挿着部上端に位置すると共に、上下方向に揺動自在に備えられ、かつ常時首部外皮挿着部上端方向に引っ張り力が作用する構成とされ、左右の脚部外皮は、足部外皮と下脚外皮と上脚外皮からなり、足部外皮は、上記足首部の足部外皮嵌着部に嵌着される開口縁を、上端に設けた開口の径方向内方に突設した全体中空の足形状に形成され、下脚外皮は、上記足首部の下脚外皮下端嵌着部に嵌着される開口縁を、下端に設けた開口の径方向内方に突設すると共に、上記膝部の下脚外皮上端嵌着部に嵌着される開口縁を、上端に設けた開口の径方向内方に突設してなる全体中空筒状に形成され、足首部の下脚外皮下端嵌着部と膝部の下脚外皮上端嵌着部とにわたって掛け渡される脛用補強連結杆を内装し、上脚外皮は、上記膝部の上脚外皮下端嵌着部に嵌着される開口縁を、下端に設けた開口の径方向内方に突設すると共に、上記脚付け根部の上脚外皮上端嵌着部に嵌着される開口縁を、上端に設けた開口の径方向内方に突設してなる全体中空筒状に形成され、膝部の上脚外皮下端嵌着部と脚付け根部の上脚外皮上端嵌着部とにわたって掛け渡される太腿用補強連結杆を内装し、腰部外皮は、腰部骨格を内装する空間を有すると共に、上端に胴部外皮下端を挿入する開口を有し、かつ股間位置には、左右の脚付け根部を連結する連結空間を有する全体中空の腰部形状に形成され、胴部外皮は、胴部骨格を内装する空間を有すると共に、上端に首部骨格の首部外皮挿着部を挿入する開口を有し、かつ両肩位置には左右の腕部骨格を連結する連結空間を有する全体中空の胴部形状に形成され、左右の腕部外皮は、該左右の腕部骨格を被覆して備えられる上腕外皮，下腕外皮及び手部外皮とからなり、上腕外皮は、上記肩部の上腕外皮上端嵌着部に嵌着される開口縁を、上端に設けた開口の径方向内方に突設すると共に、上記肘部の上腕外皮下端嵌着部に嵌着される開口縁を、下端に設けた開口の径方向に突設してなる全体中空筒状に形成され、下腕外皮は、上記肘部の下腕外皮上端嵌着部に嵌着される開口縁を、上端に設けた開口の径方向内方に突設すると共に、上記手首部の下腕外皮下端嵌着部に嵌着される開口縁を、下端に設けた開口の径方向に突設してなる全体中空状に形成され、手部外皮は、上記手首部の手部外皮嵌着部に嵌着される開口縁を備えた全体中空の手形状に形成され、頭部外皮は、首部骨格の頭部外皮嵌着部に嵌着する開口縁を備えた全体頭部形状に形成されているソフトビニル製可動人形である。
【発明の効果】
【００２０】
本発明は、簡単構造で眼球の確実な保持及び交換ができ、商品価値を向上させたソフトビニル製人形の頭部構造を提供できる。
また、本発明によれば、眼球遊動操作部を摘んで眼球位置を上下左右に動かすことができるため、需要者は任意の視線位置が選択でき需要者ニーズに十分応えられる。
また、本発明によれば、上述の効果と共に、まつ毛の確実な取り付け及び交換が容易かつまつ毛を損傷することなく行い得るという効果が得られる。
【発明を実施するための最良の形態】
【００２１】
以下、本発明の一実施形態を図に基づいて説明する。
なお、本実施形態は本発明の一実施形態にすぎず何等これに限定して解釈されるものではなく本発明の範囲内で適宜設計変更可能である。また、本発明は人形の頭部構造について特徴を有するもので、その他の人形構造、例えば胴体部（首部を含む）・脚部・腕部などの他の構造については特に限定して解釈されるものではない。また、本実施例では、人間を模写した人形を代表例として説明するが、所望な眼球部分を備えるものであれば、ロボットタイプ、怪獣タイプなどの種々の外観形状を有する人形に適用される。
【実施例１】
【００２２】
本発明のソフトビニル製大型人形の頭部構造は、図１に示すように、軟質製頭部本体（頭部外皮ともいう）Ｋと、眼球保持部Ｋ１と、操作開口部Ｋ２と、蓋部Ｋ３と、眼球Ｋ４とで構成されている。
【００２３】
軟質製頭部本体Ｋは、任意の熱可塑性樹脂にて、例えば回転成形・スラッシュ成形などにより内部中空状に一体成形される。なお、頭部本体Ｋに形成される顔形状・耳形状などにあっては図示形状に限定はされない。
また、本実施例１では図示省略するが、頭部本体Ｋには、首部骨格を嵌入保持する開口縁を設けるものとする。
【００２４】
眼球保持部Ｋ１は、前記頭部本体Ｋの成形時に該頭部本体Ｋと同一材料にて頭部本体Ｋの内部に向けて袋状（球状）に突設されており、前記頭部本体Ｋの顔正面には、眼球Ｋ４よりも小径な眼球露出穴Ｋ１１を開口している。この眼球保持部Ｋ１は、配設対象とされる眼球Ｋ４を保持部内周と密接状に収容可能であればよく、配設対象とされる眼球Ｋ４の径Ｒ１よりも保持部Ｋ１の内径が僅かに小径であっても同一径であってもよい。また、眼球露出穴Ｋ１１の形状は特に限定されず本発明の範囲内で、丸目形状、切れ長目形状、垂れ目形状、つり目形状など適宜所望な形状を選択できる。
さらに、本実施例では、眼球保持部Ｋ１の眼球露出穴Ｋ１１寄り内面に、まつ毛Ｋ５の基端側を接着剤又は粘着材により固定してまつ毛Ｋ５を備えるものとしている。
まつ毛Ｋ５は、実施の形態に応じて上下の双方若しくは一方のみを備えたり、色や形態を変えることが可能である。またまつ毛を備えない形態も本発明の範囲内である。
【００２５】
そして、前記眼球保持部Ｋ１の眼球露出穴Ｋ１１と対向する底部には眼球Ｋ４よりも小径な眼球嵌入穴Ｋ１２が設けられている。すなわち、眼球Ｋ４の径をＲ１とし、眼球嵌入穴Ｋ１２の径をＲ２とした時に、Ｒ１＞Ｒ２の関係を満足することを要件とする（図２（ｃ）参照）。
この眼球嵌入穴Ｋ１２は、頭部本体Ｋを成形後に眼球保持部Ｋ１の底部所望領域を切り取って所望径の円形状に形成される。なお、この眼球嵌入穴Ｋ１２は、本実施例のように円形状に限られるものではなく、眼球Ｋ４を嵌入可能な開口径で、かつ眼球保持部Ｋ１に眼球Ｋ４を収容した後に、外圧が掛からない状態で、眼球Ｋ４が容易に抜け落ちない形状であればどのような形状であってもよい。なお、本実施例では、眼球嵌入穴Ｋ１２を、頭部本体Ｋの成形後に切り取り成形するものとしているが、これに限定されるものではなく、頭部本体Ｋの成形時に同時に成形されるものとすることもでき、本発明の範囲内で設計変更可能である。
また、本実施例では、眼球Ｋ４が眼球露出穴Ｋ１１から僅かに顔前面に突き出ている状態を図示するが、眼球Ｋ４が眼球露出穴Ｋ１１の縁部Ｋ１１１よりも内方に位置するように、例えば図示しない眼球押さえ部を前記縁部Ｋ１１１よりも内方に設けるもの（例えば奥目形状など）とするなど適宜本発明の範囲内で設計変更可能である。
【００２６】
操作開口部Ｋ２は、前記頭部本体Ｋにおける後頭部の所望領域を選択して略円形状に設けられている。本実施例では、眼球嵌入穴Ｋ１２と同一平面上で、眼球Ｋ４と略同一径をもって円形状に開口している。なお、図示例では上述の径をもって形成されているが、使用勝手の面からすると、大径に形成されている方が好ましく、少なくとも、需要者の指を差し込んで眼球Ｋ４に備えられている眼球遊動操作部Ｋ４２を摘んで操作可能な程度の開口径を選択して形成する。
この操作開口部Ｋ２は、頭部本体Ｋの成形時に形成されるものであっても、頭部本体Ｋの成形後に所望形状にくり貫くものであつてもよく任意である。
【００２７】
蓋部Ｋ３は、前記頭部本体Ｋの後頭部に形成されている操作開口部Ｋ２を、着脱可能に密閉して取り付けられ、本実施例では、操作開口部Ｋ２の形状に合致する円形状に形成されている。図示例では、特に嵌合形状を省略するが、蓋部Ｋ３と操作開口部Ｋ２とには、任意の嵌合形状を備え、容易に蓋部Ｋ３が外れないように構成するのが好ましい。なお、蓋部Ｋ３の形状は、操作開口部Ｋ２の形状と合致して着脱可能に構成されるものであれば本発明の範囲内で任意の形状が選択可能である。
【００２８】
眼球Ｋ４は、前記眼球嵌入穴Ｋ１２を拡開させて眼球保持部Ｋ１に嵌入されて上下左右に滑動自在に収容保持されるもので、眼球本体Ｋ４１と、該眼球本体Ｋ４１の後面に一体的に備えられている眼球遊動操作部Ｋ４２とで構成されている。
【００２９】
眼球Ｋ４は、本実施例では、球状に形成されているが、瞳部分Ｋ４３を備えた眼球前面の湾曲部分を有しているもので、かつ眼球保持部Ｋ１によって脱落することなく保持可能な形状であれば特にその形状には限定されない。
本実施例では、球状内面を有する眼球保持部Ｋ１に、該球状内面に合致する球状外面を有し、前記球状内面の内径よりも僅かに大径状とした眼球Ｋ４を摺接状に収容する構成としている。すなわち、本実施例によれば、眼球Ｋ４は眼球保持部Ｋ１の内面に摺接して上下左右に滑動するが、眼球保持部Ｋ１を構成する軟質樹脂との摩擦抵抗により任意の位置で眼球Ｋ４の動きを止めることができる。従って、需要者の好みの位置で眼球Ｋ４を位置させることが可能で、好みの視線が容易に得られかつ維持できる。
【００３０】
前記眼球遊動操作部Ｋ４２は、眼球本体Ｋ４１の後面から所望長さの杆状に突出して備えられており、眼球嵌入穴Ｋ１２を通して頭部本体Ｋ内に突状に備えられる。この操作部Ｋ４２は、本実施例では杆状に形成されているが、需要者が眼球Ｋ４を遊動させて視線位置を調整する際に、容易に摘める形状を有しているものであればよく限定はされない。
【００３１】
本実施例によって形成された頭部構造は、後頭部に蓋部Ｋ３の輪郭形状が現れるが、この輪郭形状は、例えば頭部に植毛される髪の毛によって隠せるものであるため全く視覚的にも支障はない。さらに、人形によってはカツラを使用するもの、例えば色々なスタイルや染毛のカツラを好みによって付け替える人形もあるため、このような人形にあってはカツラによって蓋部輪郭形状が隠されてしまうため上記同様全く支障はない。
【００３２】
次に、上記頭部構造を提供する手段として、次の製造方法が一例として挙げられ、図２に基づいて説明する。
【００３３】
「第一工程（図２（ａ））」
まず、任意の熱可塑性樹脂をもって、例えば回転成形・スラッシュ成形などにより、配設対象眼球Ｋ４の径Ｒ１よりも小径とする眼球露出穴Ｋ１１を、顔正面に開口せしめた眼球保持部Ｋ１が内方に向けて袋状に突設され、かつ後頭部側の任意の領域を開口せしめた内部中空状の頭部本体Ｋを一体成形する。このときの材料・回転時間・回転速度などの諸条件は仕様によって適宜設計変更される。
【００３４】
「第二工程（図２（ｂ））」
次に、前記第一工程で形成された頭部本体Ｋの内部に形成されている球状の眼球保持部Ｋ１において、眼球露出穴Ｋ１１と対向する底部を、配設対象眼球Ｋ４の径よりも小径な領域で切り取り眼球嵌入穴Ｋ１２を形成する。切り取り方法・治具などは限定されない。
【００３５】
「第三工程（図２（ｃ））」
そして次に、少なくとも前記眼球嵌入穴Ｋ１２周辺を所望加熱手段を介して加熱すると共に、該加熱された眼球嵌入穴Ｋ１２を拡開させつつ眼球Ｋ４を押し込み嵌入し、眼球遊動操作部Ｋ４２を、頭部本体Ｋの中空内部に位置させた状態で嵌め込み収容配設する。加熱時間は材料その他の要因によって異なり任意である。すなわち、熱可塑性樹脂よりなるものであるため、径Ｒ２の小さい眼球嵌入穴Ｋ１２は径Ｒ１の大きい眼球Ｋ４を押し込む外圧を掛けることで、ある程度延びて拡開するため、眼球径Ｒ１よりも大径に拡開された時に眼球Ｋ４が眼球保持部Ｋ１内に嵌入収容される。また、この嵌入穴Ｋ１２は冷却後再び当初の径に戻るため眼球Ｋ４を後方から包み込むように保持する。
また、この第三工程（図２（ｃ））において、上述した眼球Ｋ４の嵌入前に、眼球保持部Ｋ１の眼球露出穴Ｋ１１寄り内面に、まつ毛Ｋ５の基端側を接着剤又は粘着材により固定してまつ毛Ｋ５を備えることができる。
【００３６】
「第四工程（図２（ｄ））」
そして最後に、前記後頭部側の操作開口部Ｋ２に着脱可能に蓋部Ｋ３を配設する。なお、この蓋部Ｋ３は容易に外れないようにする。
【００３７】
また、このような製造方法以外の製造方法により製造された頭部構造によっても本発明が解決しようとする課題を解決することはできる。
【００３８】
上述の構造により成形された頭部構造によれば、まず頭部本体Ｋの後頭部に備えた蓋部Ｋ３を外し、そして眼球保持部Ｋ１の眼球嵌入穴Ｋ１２周辺を加熱して、該嵌入穴Ｋ１２を拡開せしめて眼球Ｋ４を嵌入させる、あるいは既に収容されている眼球Ｋ４を抜き出し、他の眼球Ｋ４を嵌入させることもできる。この眼球嵌入穴Ｋ１２は、眼球Ｋ４嵌入時に拡開して眼球Ｋ４を眼球保持部Ｋ１に収容した後は、再び冷えて元の開口径Ｒ２に戻り、該開口径Ｒ２が眼球Ｋ４の径Ｒ１よりも小径であるため、眼球Ｋ４がこの嵌入穴Ｋ１２から抜け落ちてしまうという不都合もない。そして、その後再び後頭部の操作開口部Ｋ２を蓋部Ｋ３によって閉蓋すればよい。また、需要者によっては、人形の視線を好みによって変えてみたいと考えることがある。そのような場合には、後頭部の蓋部Ｋ３を外し、眼球保持部Ｋ１に収容されている眼球Ｋ４から、前記眼球嵌入穴Ｋ１２を通して突出している眼球遊動操作部Ｋ４２を摘んで上下左右に動かすことにより、人形の視線を好みの視線に設定することができる。そして、設定した後には再び後頭部を蓋部Ｋ３によって閉蓋すればよい。
すなわち、本実施例によれば、内周に眼球Ｋ４が滑動可能に保持され、かつ眼球Ｋ４の径Ｒ１よりも小径状の眼球露出穴Ｋ１１と眼球嵌入穴Ｋ１２を備えた袋状に眼球保持部Ｋ１が形成されているため、該眼球保持部Ｋ１に嵌入保持される眼球Ｋ４は、該眼球嵌入後に収縮する保持部Ｋ１の収縮力によって密接状に保持される。従って、従来のように眼球固定部材などを接着剤などで固定して眼球の脱落を防止するものではなく、何等別途固定部材を必要としなくとも眼球保持部Ｋ１から眼球Ｋ４が脱落しないのは勿論のこと、眼球Ｋ４を上下左右に動かして視線の調整をする際にも、眼球外周と保持部内周との摩擦力により、任意位置での眼球保持が容易かつ確実に行い得る。
【実施例２】
【００３９】
本実施例２は、図５乃至図１４に全体構造を示すソフトビニル製大型人形の頭部構造として、前記実施例１にて説明した頭部構造を採用した一例を示す。頭部構造としては前記実施例１の説明を援用してここでの説明は省略し、ここでは本実施例２の人形の全体構造を説明する。なお、本実施例２において、頭部外皮Ｋとは、眼球を除いて頭部構造を構成している部分をいう。
図面は、ソフトビニル製大型可動人形の骨格構造と該骨格構造を有するソフトビニル製大型可動人形の一実施例を示す。
ソフトビニル製大型可動人形は、複数の骨格の集合からなる人形骨格群と、これら各骨格外周に備えられる人形外皮群にて構成されている。
【００４０】
人形骨格群は、左右の脚部骨格Ａと、該左右の脚部骨格Ａに連結される腰部骨格Ｂと、該腰部骨格Ｂに連結される胴部骨格Ｃと、該胴部骨格Ｃと連結される左右の腕部骨格Ｄおよび首部骨格Ｅとで構成され、左右の脚部骨格Ａから左右の腕部骨格Ｄおよび首部骨格Ｅまでが一体に連結されている一連の骨格群である。なお、各骨格Ａ乃至Ｅの材質は、ＡＢＳ樹脂、その他の樹脂、若しくは金属製など任意に選択される。
【００４１】
左右の脚部骨格Ａは、足首部１と、膝部１５と、これら足首部１と膝部１５との間に備えられる脛用補強連結杆２９と、脚付け根部３１と、この脚付け根部３１と上記膝部１５との間に備えられる太腿用補強連結杆４２とで構成されている。
【００４２】
足首部１は、図５（ａ）（ｂ）に示すように、足部外皮Ｆ１の開口縁９８が嵌着される足部外皮嵌着部２と、下脚外皮Ｆ２の下端開口縁１００が嵌着される下脚外皮下端嵌着部７とを有すると共に、該両者２，７の連結部にて回動可能な構造を有し、さらに足部外皮嵌着部２の底面には、足部外皮Ｆ１内に内装されると共に、その足部外皮Ｆ１内の指先方向へと延びる足底部１２９を一体的に備えて構成されている。
【００４３】
図５（ａ）（ｂ）に示す本実施例に基づいて具体的に説明すると、足部外皮嵌着部２は、足部外皮Ｆ１内に嵌入される円筒状の嵌入部３と、該嵌入部３上に周方向に連続して設けられる凹溝４を介して一体的に設けられるドーム状の連結部５で構成されており、該連結部５上端から内方に向けて連結用切欠き溝６が形成されている。
なお、この足部外皮嵌着部２の凹溝４は、足部外皮Ｆ１の開口縁９８が嵌着される嵌合凹部として作用する。
【００４４】
一方、下脚外皮下端嵌着部７は、下脚外皮Ｆ２内に挿入される一端を開口した中空円筒状の連結筒部８と、該筒部８の他端に備えられている連結片９で構成されている。この筒部８には、一端開口１０を介して後述する脛用補強連結杆２９を嵌合する嵌合穴１１が備えられている。
そして、下脚外皮下端嵌着部７の連結片９を、上記足部外皮嵌着部２の連結用切欠き溝６内に嵌入すると共に、ネジ１２を介して両嵌着部２，７が回動可能に連結されて一体化されている。
下脚外皮下端嵌着部７の連結筒部８の連結片側端部には、径方向に突出する周方向鍔部１３が形成されており、この鍔部１３と足部外皮嵌着部２の連結部５との間に形成される周方向凹部１４が、下脚外皮Ｆ２の下端開口縁１００が嵌着される嵌合凹部として作用する。
【００４５】
足底部１２９は、例えば金属若しくは樹脂などの所望な材料をもって平板状に形成され、足部外皮嵌着部２の底面にネジ１３０などを介して一体的に備えられる。このように足底部１２９を備えることで足部外皮Ｆ１の強度が強くなる。すなわち、例えば足首部１の連結部分で下脚外皮下端嵌着部７側を前方（図５（ａ）で矢印ｘ方向）へ回動作動させた場合でも、足底部１２９が人形全体の重量を支えると共に足部形状を保持するため、足部外皮が折れて人形全体が倒れてしまうという虞れもない。
なお、足底部１２９は、足部外皮嵌着部２の底面に一体的に備えられ、かつ足部外皮Ｆ１内に内装される形状（幅・長さ・厚さなど）で、その足部外皮Ｆ１内の指先方向へと延びる構成であればよく、特に限定されず本発明の範囲内で設計変更可能である。また、本実施例ではネジ１３０が外部から見えないように、足底部１２９の裏面から足部外皮嵌着部２の底面に向けてネジ１３０を取り付けているが、ネジ１３０は、足部外皮の外底面から足部外皮嵌着部２の底面に向けて取り付けるものとしても良い。
【００４６】
足部外皮嵌着部２の嵌入部３は、本実施例のように円筒状に限らず、足部外皮Ｆ１の開口縁９８よりも大径であれば角筒状など任意である。また、嵌合凹部（凹溝）４は、一本でも複数本でもよく、さらに、その凹部形状・幅・深さなどの諸条件も任意で、足部外皮Ｆ１の開口縁９８の構成に応じて設計変更可能である。また嵌合凹部（凹溝）４は、嵌入部３の外周に周設するものとしてもよい。
上記した下脚外皮Ｆ２の下端開口縁１００が嵌着される嵌合凹部（周方向凹部）１４は、本実施例の構造に限られるものではなく、連結筒部８の外周に周設するものとしてもよい。また、一本でも複数本でもよく、さらに、その凹部形状・幅・深さなどの諸条件も任意で、下脚外皮Ｆ２の下端開口縁１００の構成に応じて設計変更可能である。
また、下脚外皮下端嵌着部７の連結筒部８は、角筒状の嵌入部とすることもでき、嵌合穴１１も本実施例では嵌合穴１１内で脛用補強連結杆２９が周方向に回動可能なように円筒状としているが、非回動としたい場合には角筒状などの所望な周知形状を適宜採用することができる。また、嵌合穴１１の穴径・深さなども任意で、脛用補強連結杆２９を嵌合し得る程度の構成を有していればよい。
【００４７】
また、本実施例では、図５（ｃ）に示すように、足底部１２９と足部外皮Ｆ１との間に磁石１３３を備える構成も採用している。
本実施例では、足底部１２９のネジ止め位置よりも前方を凹設して磁石配設空間１２９ａを形成し、この空間１２９ａに磁石１３３を嵌め込み固着している。磁石１３３は、接着剤などを介して固着されている。なお、磁石配設空間１２９ａと磁石１３３とが嵌合構造を有しており、その構造により嵌着されるものや、磁石１３３が磁石配設空間１２９ａに螺合し得る構造を有しているもの等であれば接着剤を使用しなくとも良い。磁石１３３の形状は特に限定されず任意で、また磁石配設空間１２９ａの形状も磁石１３３を配設し得る空間を有していれば良く、本発明の範囲内で設計変更可能である。この磁石配設空間１２９ａは、足底部１２９の裏面に穴状または溝状に設けることができる。
【００４８】
本実施例では、磁石１３３の露呈している面と足底部１２９の底面とが面一となるように構成しているが限定はされず、磁石１３３の磁力を損なわない程度であれば埋没状に構成してもよく、また、足部外皮の底面が極端に凸状とならなければ足底部１２９の底面よりも突出して構成されているものであっても良い。磁石１３３は片足に一つとは限らず、複数個備えることも可能で本発明の範囲内である。
このように、足底部１２９と足部外皮Ｆ１との間に磁石１３３を配設しているため、外部から磁石１３３が見えず、人形全体の美観を損ねることもない。
本実施例によれば、人形の膝部を曲げたり、腰部を曲げたりして需要者が思い思いの姿勢を人形に取らせた場合でも、設置場所（人形を飾る場所）などに鉄板などが配置されていれば、足底に備えた磁石１３３の磁力により固着されるため、自由なポーズを取らせることができる。
【００４９】
膝部１５は、図６（ａ）乃至（ｃ）に示すように、下脚外皮Ｆ２の上端開口縁１０２が嵌着される下脚外皮上端嵌着部１６と、上脚外皮Ｆ３の下端開口縁１０４が嵌着される上脚外皮下端嵌着部１７とを有し、両者１６，１７の連結部にて回動可能な構造を有する。
【００５０】
図６（ａ）乃至（ｃ）に示す本実施例に基づいて具体的に説明すると、下脚外皮上端嵌着部１６および上脚外皮下端嵌着部１７は、夫々下脚外皮Ｆ２内または上脚外皮Ｆ３内に挿入される一端を開口した中空円筒状の連結筒部１８と、該筒部１８上から断面視反台形状に延設された嵌入部１９と、該嵌入部１９端縁から段部２０を介して立上げ形成される二片の連結片２１，２１で構成された連結部２２とからなる同一形状のものである。
この夫々の嵌入部１９端縁と連結部２２との間に存する段部２０は、周方向に連続して設けられる凹溝２３となり、この凹溝２３，２３は夫々が下脚外皮Ｆ２の上端開口縁１０２または上脚外皮Ｆ３の下端開口縁１０４が嵌着される嵌合凹部として作用する。
上記夫々の嵌入部１９，１９には、一端開口２４，２４を介して後述する脛用補強連結杆２９または太腿用補強連結杆４２を嵌合する嵌合穴２５，２５が備えられている。
【００５１】
そして、これら下脚外皮上端嵌着部１６と上脚外皮下端嵌着部１７の夫々の連結部２２を構成している二片の連結片２１，２１間には、膝頭部２６の裏面両端に備えられている被連結部２７，２７が夫々嵌入されると共に、ネジ２８を介して両嵌着部１６，１７が回動可能に連結されて一体化されている。したがって、本実施例によれば、このように下脚外皮上端嵌着部１６と上脚外皮下端嵌着部１７の夫々の連結部２２が、膝頭部２６の裏面に設けられている夫々の被連結部２７に夫々連結される構成としたため、下脚外皮上端嵌着部１６と上脚外皮下端嵌着部１７が夫々自由に回動作動がなし得る。
【００５２】
下脚外皮上端嵌着部１６および上脚外皮下端嵌着部１７の連結筒部１８は、本実施例のように円筒状に限らず角筒状など任意である。また、嵌合凹部（凹溝）２３は、一本でも複数本でもよく、さらに、その凹部形状・幅・深さなどの諸条件も任意で、下脚外皮Ｆ２の上端開口縁１０２または上脚外皮Ｆ３の下端開口縁１０４の構成に応じて設計変更可能である。
上記した嵌合凹部（凹溝）２３は、本実施例の構造に限られるものではなく、嵌入部１９の外周に周設するものとしてもよい。
また、嵌合穴２５は本実施例では嵌合穴２５内で脛用補強連結杆２９および太腿補強連結杆４２が周方向に夫々回動可能なように円筒状としているが、非回動としたい場合には角筒状などの所望な周知形状を適宜採用することができる。また、嵌合穴２５の穴径・深さなども任意で、脛用補強連結杆２９および太腿用補強連結杆４２を嵌合し得る程度の構成を有していればよい。膝頭部２６の構造も本実施例に限られるものではなく、本発明の範囲内で設計変更可能である。
【００５３】
脛用補強連結杆２９は、図３，図４に示すように、足首部１の下脚外皮下端嵌着部７の嵌合穴１１と、膝部１５の下脚外皮上端嵌着部１６の嵌合穴２５に、夫々の端部３０が嵌脱自在に嵌合される長尺棒状（本実施例では断面円形の丸棒状）に形成されており、両端３０，３０嵌合状態で、足首部１の下脚外皮下端嵌着部７と、膝部１５の下脚外皮上端嵌着部１６との間で連結状に掛け渡される。
この脛用補強連結杆２９は、足首部１の下脚外皮下端嵌着部７の嵌合穴１１と、膝部１５の下脚外皮上端嵌着部１６の嵌合穴２５に、両端３０，３０が夫々嵌合されて両嵌着部７，１６間にわたって掛け渡される構造であれば特に限定されるものではなく任意である。本実施例では、所望長さ・所望径の断面円形の丸棒状に形成されているが、その外形・長さ・端部の形状などは任意で適宜設計変更される。また、この脛用補強連結杆２９は、中実でも中空（両端開口又は非開口のいずれも含む）であってもよい。
【００５４】
脚付け根部３１は、図７（ａ）（ｂ）に示すように、上脚外皮Ｆ３の上端開口縁１０６が嵌着される上脚外皮上端嵌着部３２と、腰部骨格Ｂの脚付け根部側連結部４４を連結する腰部骨格連結部３７を有する。
図７（ａ）（ｂ）に示す本実施例に基づいて具体的に説明すると、上脚外皮上端嵌着部３２は、上脚外皮Ｆ３内に挿入される一端を開口した中空円筒状の連結筒部３３と、該筒部３３上から断面視反台形状に延設された嵌入部３４で構成されている。
【００５５】
腰部骨格連結部３７は、上記嵌入部３４端縁から段部３５を介して立上げ形成される玉状部３６と、該玉状部３６の一部に設けた切り欠き３６ａを介して一端が挿入されると共に、回動可能に連結される腰部骨格連結杆３８とで構成されている。
この嵌入部３４端縁と腰部骨格連結部３７との間に存する段部３５は、周方向に連続して設けられる凹溝３９となり、この凹溝３９は上脚外皮Ｆ３の上端開口縁１０６が嵌着される嵌合凹部として作用する。
【００５６】
上記連結筒部３３には、一端開口４０を介して後述する太腿用補強連結杆４２を嵌合する嵌合穴４１が備えられている。
連結筒部３３は、本実施例のように円筒状に限らず、角筒状など任意である。また、嵌合凹部（凹溝）３９は、一本でも複数本でもよく、さらに、その凹部形状・幅・深さなどの諸条件も任意で、上脚外皮Ｆ３の上端開口縁１０６の構成に応じて設計変更可能である。
上記した嵌合凹部（凹溝）３９は、本実施例の構造に限られるものではなく、嵌入部３４の外周に周設するものとしてもよい。
また、嵌合穴４１は本実施例では嵌合穴４１内で太腿用補強連結杆４２が周方向に回動可能なように円筒状としているが、非回動としたい場合には角筒状などの所望な周知形状を適宜採用することができる。また、嵌合穴４１の穴径・深さなども任意で、太腿用補強連結杆４２を嵌合し得る程度の構成を有していればよい。
【００５７】
太腿用補強連結杆４２は、図３，図４に示すように、脚付け根部３１の上脚外皮上端嵌着部３２の嵌合穴４１と、膝部１５の上脚外皮下端嵌着部１７の嵌合穴２５に、夫々の端部４３，４３が嵌脱自在に嵌合される長尺棒状（本実施例では断面円形状の丸棒状）に形成されており、両端４３，４３嵌合状態で、脚付け根部３１の上脚外皮上端嵌着部３２と膝部１５の上脚外皮下端嵌着部１７との間で連結状に掛け渡される。
この太腿用補強連結杆４２は、脚付け根部３１の上脚外皮上端嵌着部３２の嵌合穴４１と、膝部１５の上脚外皮下端嵌着部１７の嵌合穴２５に、両端４３，４３が夫々嵌合されて両嵌着部１７，３２間にわたって掛け渡される構造であれば特に限定されるものではなく任意である。本実施例では、所望長さ・所望径の断面円形の丸棒状に形成されているが、その外形・長さ・端部の形状などは任意で適宜設計変更される。また、この太腿用補強連結杆４２は、中実でも中空（両端開口又は非開口のいずれも含む）であってもよい。
【００５８】
腰部骨格Ｂは、図８（ａ）（ｂ）に示すように、少なくとも、左右の脚付け根部３１，３１の腰部骨格連結部３７と回動可能に連結する脚付け根部側連結部４４と、胴部骨格Ｃの下端側と連結する胴部下端骨格連結部４６とを備えて構成されている。
図８（ａ）（ｂ）に示す本実施例に基づいて具体的に説明すると、腰部外皮Ｇの腰部骨格内装空間１０７に固定される本体４５と、該本体４５から水平方向両側に延びる脚付け根部側連結部４４と、該本体４５から上方に延びる胴部下端骨格連結部４６とで構成されている。この胴部下端骨格連結部４６は、一端を開口した中空筒状に形成され、該開口４７を介して胴部下端の骨格を嵌合する嵌合穴４８を設けている。
そして、脚付け根部側連結部４４の中空筒部に上記脚付け根部３１の腰部骨格連結部３７の腰部骨格連結杆３８を嵌入して回動可能に連結すると共に、胴部下端骨格連結部４６の嵌合穴４８に胴部下端の骨格を嵌合して連結する。
なお、本実施例の腰部骨格Ｂは本発明の一実施例にすぎず限定解釈されるものではない。
【００５９】
胴部骨格Ｃは、図９および図１０に示すように、後述する腹部外皮Ｈ２内に内装される腹骨格部Ｃ１（図１０）と胸部外皮Ｈ３内に内装される胸骨格部Ｃ２（図９）の二部構成からなり、少なくとも、腰部骨格Ｂの上端側と連結する腰部骨格連結部５１と、左右の腕部骨格Ｄと夫々連結する腕部骨格連結部５８とを備えて構成されている。
また、本実施例では、胴部骨格Ｃの腰部骨格連結部５１と対峙する側、すなわち胸骨格部Ｃ２の上端側に首部骨格Ｅを一体的に連結する首部骨格連結部１３１を備えている。
【００６０】
図９又は図１０の本実施例に基づいて具体的に説明すると、図１０（ａ）（ｂ）に示す腹骨格部Ｃ１は、両端に設けた夫々の第一玉部（図面上で下側）５２と第二玉部（図面上で上側）５３を、夫々回動可能に嵌め込んだ断面視略Ｕ字状の腰部骨格連結部５１と胸部骨格連結部５６からなり、該腰部骨格連結部５１と胸部骨格連結部５６の夫々の端部には、第一嵌入杆５４と第二嵌入杆５５が夫々一体的に立設されている。
また、特に限定されはしないが、本実施例において、第一玉部５２と第二玉部５３を嵌め込む夫々の嵌め込み部５１ａ・５１ａと５６ａ・５６ａは、各第一玉部５２と第二玉部５３を嵌め込んだ時に、腰部骨格連結部５１および胸部骨格連結部５６が所望位置でその状態（例えば、左右いずれかの方向に所望角度をもって傾斜している状態）を維持できるように、各第一玉部５２と第二玉部５３が夫々緊密に摺接するよう構成するのが好ましい。このとき、嵌め込み部５１ａ・５１ａと５６ａ・５６ａは、夫々の曲面の曲率が各第一玉部５２と第二玉部５３の曲率と同一若しくは近似するものとする。なお、嵌め込み部５１ａ・５１ａと５６ａ・５６ａは本実施例に限定して解釈されるものではなく、本発明の範囲内で適宜設計変更可能である。
【００６１】
そして、この第一嵌入杆５４が、腰部骨格Ｂの胴部下端骨格連結部４６の嵌合穴４８に嵌合連結され、第二嵌入杆５５が、胸骨格部Ｃ２に連結される。
図９（ａ）（ｂ）に示す胸骨格部Ｃ２は、下方向に開口する中空筒状の嵌合穴５７を備えると共に、水平方向両側に左右の腕部骨格Ｄと夫々連結する腕部骨格連結部５８を備えている。
腕部骨格連結部５８は、夫々一端開口した中空筒状に形成されると共に、腕部骨格連結穴５８ａを備え、該連結穴５８ａ後述する左右の腕部骨格Ｄの胴部上端骨格連結部６０を嵌合連結する。
なお、本実施例では、胴部骨格Ｃを、腹骨格部Ｃ１と胸骨格部Ｃ２の二部構成とし、かつ腰部骨格Ｂと腹骨格部Ｃ１との連結部およびこの腹骨格部Ｃ１と胸骨格部Ｃ２との連結部を夫々玉５２，５３を介して回動可能な構造としたため、腰位置から胸位置までの動きが微調整でき、上半身の様々かつ細かい動きが表現できる。すなわち、本実施例の腹骨格部Ｃ１構成を採用したことで、腰部骨格連結部５１と胸部骨格連結部５６は、夫々が前後左右に回動可能（図１０中、矢印Y１乃至Y４で示す前後方向、矢印Y５乃至Y８で示す左右方向）で、かつ夫々が水平方向にも所望範囲で移動（図１０中、矢印Z１乃至Z４に示す水平方向）することができるため、人形の胴体部分の様々な動きが表現でき、色々な姿勢のバリエーションが楽しめる。
なお、本実施例の胴部骨格Ｃは本発明の一実施例にすぎず限定解釈されるものではない。
【００６２】
首部骨格連結部１３１は、図９に示すように、胸骨格部Ｃ２の上端側にて回動可能（図９中、矢印Y９，Y１０で示す方向）に一体的に備えられており、首部骨格Ｅの首部外皮挿着部８９から垂設されている嵌合杆８９ｃの内部空間に嵌り合う外径を有している。図中１３２は、嵌合杆８９ｃの端面を受ける受け部である。なお、本実施例では、首部骨格連結部１３１を、首部骨格Ｅの嵌合杆８９ｃに嵌めて一体化する一形態を採用したが、首部骨格連結部１３１に頂面を開口した嵌合穴（図示せず）を形成し、該嵌合穴に嵌合杆を嵌め合うことで一体化する形態を採用してもよく、既知の方法で首部骨格連結部１３１と首部骨格Ｅを連結して一体化する形態であれば本発明の範囲内において設計変更可能である。
【００６３】
首部骨格Ｅは、例えば、図１１に示すように、胴部外皮Ｈに一体に設けられている首部外皮Ｈ５の開口１１１から挿入される円筒状の首部外皮挿着部８９と、頭部外皮Ｋの開口縁１２８が嵌着される頭部外皮嵌着部９１とで構成され、この頭部外皮嵌着部９１は、首部外皮挿着部８９上端に位置すると共に、上下方向（図１１中で、矢印W方向）に揺動自在に備えられ、かつ常時首部外皮挿着部８９上端方向に引っ張り力が作用する構成とする。また、首部外皮挿着部８９にはその下面に垂設した円筒状の嵌合杆８９ｃが設けられている。
【００６４】
図１１の本実施例に基づいて具体的に説明すると、首部外皮挿着部８９は、首部外皮Ｈ５の開口１１１よりも小径に形成された円筒状で、その軸方向中心には頭部外皮嵌着部９１の連結杆９２を遊嵌する挿入穴９０を備え、一方頭部外皮嵌着部９１は、頭部外皮Ｋの開口縁１２８よりも大径に形成された円錐台状に形成されると共に、その下面９１ａ中心から垂設された連結杆９２を備えている。
そして、頭部外皮嵌着部９１の連結杆９２を、首部外皮挿着部８９の挿入穴９０に遊嵌し、コイルスプリング９３の一端を首部外皮挿着部８９の内面段部８９ｂに係止すると共に、止め具９４を介してネジ９５で連結杆９２の下端にネジ止めする。これにより、頭部外皮嵌着部９１は、首部外皮挿着部８９上端にて一体的に位置すると共に、スプリング９３を介して上下方向Wに揺動自在に備えられ、かつ常時首部外皮挿着部８９上端方向に引っ張り力が作用する。また、との間に形成される段部９６は、頭部外皮Ｋの下端に形成されている開口縁１２８が嵌着される嵌合凹部として作用する。
なお、本実施例では、例えば押し込み嵌入時の挿入性を良くするために頭部外皮嵌着部９１を円錐台状に形成するが、これに限定解釈されるものではなく、頭部外皮Ｋの開口縁１２８に押し込み嵌入可能な形状であればよい。また、その他の本実施例の構造も本発明の一実施例に過ぎず何ら限定解釈されない。また、本実施例では、首部外皮挿着部８９の上端方向へと頭部外皮嵌着部９１を引っ張り作用する構成としてスプリング９３を用いているが、首部外皮挿着部８９の上端方向へと頭部外皮嵌着部９１を引っ張り作用する構成であれば適宜設計変更可能で、例えばゴム紐などを掛け渡し、首部外皮挿着部８９の上端方向へと頭部外皮嵌着部９１を引っ張り作用する構成などを採用することも可能である。
【００６５】
左右の腕部骨格Ｄは、図１２乃至図１４に示すように、胴部外皮Ｈと上腕外皮Ｊ１の上端を連結する肩部５９と、該上腕外皮Ｊ１の下端と下腕外皮Ｊ２の上端を連結する肘部６８と、該下腕外皮Ｊ２の下端と手部外皮Ｊ３を連結する手首部７８とで構成されている。
【００６６】
肩部５９は、図１２に示すように、前記胴部骨格Ｃの腕部骨格連結穴５８ａと連結される胴部上端骨格連結部６０と、上腕外皮Ｊ１の上端開口縁１１９が嵌着される上腕外皮上端嵌着部６２とを備えてなる。
胴部上端骨格連結部６０は、前記胴部骨格Ｃの腕部骨格連結穴５８ａ内に嵌入可能な径を有する所望長さの丸棒状に形成されると共に、その反嵌入側には円板状の連結片６１が延設されている。一方、上腕外皮上端嵌着部６２は、円錐台状の嵌入部６３が形成されると共に、この嵌入部６３から段部６４を介して中央に上記連結片６１を嵌入可能な嵌入溝６５を備えた略玉状の被連結部６６が一体的に形成されている。
そして、上記連結片６１を嵌入溝６５に嵌入すると共に、ネジ６７を介して回動可能に一体的に連結される。なお、本実施例において、上記連結片６１は、略玉状の被連結部６６の径と同径とし、連結時に両者６１，６６によって全体玉状を構成している。
【００６７】
また、上記段部６４は、上腕外皮Ｊ１の上端開口縁１１９が嵌着される嵌合凹部として作用する。
上記嵌入部６３は、上腕外皮Ｊ１の上端開口縁１１９から押し込んで上腕外皮  Ｊ１内に嵌入可能な径を有する形状であれば特に限定されるものではない。
また、嵌合凹部（段部）６４は、本実施例の構造に限られるものではなく、例えば嵌入部６３の外周に所望溝形状をもって周設するものとしてもよい。
嵌合凹部（段部）６４は、一本でも複数本でもよく、さらに、その凹部形状・幅・深さなどの諸条件も任意で、上腕外皮Ｊ１の上端開口縁１１９の構成に応じて設計変更可能である。
なお、嵌入部６３は、本実施例のように円錐台状に限らず任意形状が適宜本発明の範囲内で採用される。
【００６８】
肘部６８は、図１３に示すように、上腕外皮Ｊ１の下端開口縁１２１が嵌着される上腕外皮下端嵌着部６９と、下腕外皮Ｊ２の上端開口縁１２３が嵌着される下腕外皮上端嵌着部７０とを有し、両者６９，７０の連結部にて回動可能な構造を有する。
【００６９】
本実施例に基づいて具体的に説明すると、上腕外皮下端嵌着部６９および下腕外皮上端嵌着部７０は、夫々上腕外皮Ｊ１内または下腕外皮Ｊ２内に嵌入される円錐台状の嵌入部７１と、該嵌入部７１端縁から段部７２を介して立上げ形成される二片の連結片７３，７３で構成された連結部７４とからなる同一形状のものである。
この夫々の嵌入部７１端縁と連結部７４との間にて周方向に連続して存する段部７２は、夫々が上腕外皮Ｊ１の下端開口縁１２１または下腕外皮Ｊ２の上端開口縁１２３が嵌着される嵌合凹部として作用する。
そして、これら上腕外皮下端嵌着部６９と下腕外皮上端嵌着部７０の夫々の連結部７４を構成している二片の連結片７３，７３間には、肘頭部７５の裏面両端に備えられている被連結部７６，７６が夫々嵌入されると共に、ネジ７７を介して両嵌着部６９，７０が回動可能に連結されて一体化されている。したがって、本実施例によれば、このように上腕外皮下端嵌着部６９と下腕外皮上端嵌着部７０の夫々の連結部７４が、肘頭部７５の裏面に設けられている夫々の被連結部７６に夫々連結される構成としたため、上腕外皮下端嵌着部６９と下腕外皮上端嵌着部７０が夫々自由に回動作動がなし得る。
【００７０】
上腕外皮下端嵌着部６９および下腕外皮上端嵌着部７０の嵌入部７１は、本実施例のように円錐台状に限らず任意である。
上記した嵌合凹部（段部）７２は、本実施例の構造に限られるものではなく、嵌入部７１の外周に周設するものとしてもよい。この場合において、嵌合凹部（段部）７２は、一本でも複数本でもよく、さらに、その凹部形状・幅・深さなどの諸条件も任意で、上腕外皮Ｊ１の下端開口縁１２１または下腕外皮Ｊ２の上端開口縁１２３の構成に応じて設計変更可能である。
また、肘頭部７５の構造も本実施例に限られるものではなく、本発明の範囲内で設計変更可能である。
【００７１】
手首部７８は、図１４に示すように、下腕外皮Ｊ２の下端開口縁１２５が嵌着される下腕外皮下端嵌着部７９と、手部外皮Ｊ３の開口縁１２７が嵌着される手部外皮嵌着部８２とを有し、両者７９，８２の連結部にて回動可能な構造を有する。
【００７２】
下腕外皮下端嵌着部７９は、下腕外皮Ｊ２内に嵌入可能な径を有する円錐台状に嵌入部８０が形成されると共に、この嵌入部８０から段部８８を介して略玉状の被連結部８６が一体的に形成されている。この被連結部８６には、後述する連結片８１を嵌入可能とした嵌入溝８５を中央に備えている。
【００７３】
一方、手部外皮嵌着部８２は、手部外皮Ｊ３内に嵌入可能な径を有する円錐台状の嵌入部８３が形成されると共に、その反嵌入側には上記嵌入溝８５に嵌入可能な円板状の連結片８１が延設されている。なお、本実施例では連結片８１の一端が、嵌入部８３の反嵌入側に嵌合されているが、連結片８１と嵌入部８３が一体成形されているものであってもよく限定されない。
【００７４】
そして、上記連結片８１を、被連結部８６の嵌入溝８５に嵌入すると共に、ネジ８７を介して回動可能に一体的に連結される。なお、本実施例において、上記連結片８１は略玉状の被連結部８６の径と同径とし、連結時に両者８１，８６によって全体玉状を構成している。
また、上記段部８８は、下腕外皮Ｊ２の下端開口縁１２５が嵌着される嵌合凹部とし、そして上記段部８４は、手部外皮Ｊ３の開口縁１２７が嵌着される嵌合凹部として作用する。
【００７５】
上記嵌入部８０，８３は、下腕外皮Ｊ２の下端開口縁１２５または手部外皮Ｊ３の開口縁１２７から押し込んで、下腕外皮Ｊ２内または手部外皮Ｊ３内に嵌入可能な径を有する形状であれば特に限定されるものではない。
また、嵌合凹部（段部）８４，８８は、本実施例の構造に限られるものではなく、例えば夫々の嵌入部８０，８３の外周に所望溝形状をもって周設するものとしてもよい。この場合、嵌合凹部（段部）８４，８８は、一本でも複数本でもよく、さらに、その凹部形状・幅・深さなどの諸条件も任意で、下腕外皮Ｊ２の下端開口縁１２５・手部外皮Ｊ３の開口縁１２７の構成に応じて設計変更可能である。
なお、嵌入部８０，８３は、本実施例のように円錐台状に限らず任意形状が適宜本発明の範囲内で採用される。
【００７６】
また、本実施例では採用していないが、上記肩部５９の上腕外皮上端嵌着部６２と肘部６８の上腕外皮下端嵌着部６９との間にわたって、所望長さの上腕用補強連結杆（図示せず）が嵌脱自在に掛け渡され、肘部６８の下腕外皮上端嵌着部７０と手首部７８の下腕外皮下端嵌着部７９との間にわたって、所望長さの下腕用補強連結杆（図示せず）が嵌脱自在に掛け渡されている骨格構造としてもよい。これら補強連結杆は、上述した脛用または太腿用の補強連結杆２９，４２と同等の構成である。その嵌合連結構成も上述した脛用または太腿用の補強連結杆２９，４２の嵌合連結構成を採用できる。
【００７７】
次に、上述した人形骨格群に取り付けられるソフトビニル製の人形外皮群の一実施例を図に基づいて説明する。
ソフトビニル製の人形外皮群は、上記夫々の骨格外周に備えられる左右の脚部外皮Ｆと、腰部外皮Ｇと、胴部外皮Ｈと、腕部外皮Ｊと、頭部外皮Ｋとで構成されており、夫々の外皮は例えばスラッシュ成形により形成されている。
本実施例では、夫々の外皮表面が無模様・無色彩で、顔表情なども省略した形態としているが、所望な模様・色彩や、目・鼻・口などを備えた形態とすることも可能なことはいうまでもない。
【００７８】
左右の脚部外皮Ｆは、足部外皮Ｆ１と下脚外皮Ｆ２と上脚外皮Ｆ３からなり、足部外皮Ｆ１は、上端に設けた開口９７の径方向内方に、上記足首部１の足部外皮嵌着部２の嵌合凹部（凹溝）４に嵌着される開口縁９８を突設した全体中空の足形状に形成されている。足形状は図示形状に限定されず任意に変更可能である。
【００７９】
下脚外皮Ｆ２は、図３乃至図６に示すように、下端に設けた開口９９の径方向内方に、上記足首部１の下脚外皮下端嵌着部７の嵌合凹部（周方向凹部）１４に嵌着される開口縁１００を突設すると共に、上端に設けた開口１０１の径方向内方に、上記膝部１５の下脚外皮上端嵌着部１６の嵌合凹部（凹溝）２３に嵌着される開口縁１０２を突設してなる全体中空筒状に形成され、足首部１の下脚外皮下端嵌着部７と膝部１５の下脚外皮上端嵌着部１６とにわたって掛け渡される脛用補強連結杆２９を内装する。この下脚外皮Ｆ２は、特に限定されないが、好ましくは人間の踝位置から膝下位置までの外観形状を忠実に模写した外観形状とするのがよい。
【００８０】
上脚外皮Ｆ３は、図３，図４，図６，図７に示すように、下端に設けた開口１０３の径方向内方に、上記膝部１５の上脚外皮下端嵌着部１７の嵌合凹部（凹溝）２３に嵌着される開口縁１０４を突設すると共に、上端に設けた開口１０５の径方向内方に、上記脚付け根部３１の上脚外皮上端嵌着部３２嵌合凹部（凹溝）３９に嵌着される開口縁１０６を突設してなる全体中空筒状に形成され、膝部１５の上脚外皮下端嵌着部１７と脚付け根部３１の上脚外皮上端嵌着部３２とにわたって掛け渡される太腿用補強連結杆４２を内装する。
この上脚外皮Ｆ３は、特に限定されないが、好ましくは人間の膝上位置から脚付け根位置までの外観形状（いわゆる太腿外観形状）を忠実に模写した外観形状とするのがよい。
【００８１】
腰部外皮Ｇは、図３，図４に示すように、腰部骨格Ｂを内装する空間１０７を有すると共に、上端に胴部外皮Ｈの下端Ｈ１を挿入する開口１０８を有し、かつ股間位置左右には、左右の脚付け根部３１を連結する連結空間１０９を有する全体中空の腰部形状に形成されている。この腰部外皮は、特に限定されないが、好ましくは人間の腰部分の外観形状を忠実に模写した外観形状とするのがよい。
【００８２】
胴部外皮Ｈは、図３，図４に示すように、胴部骨格Ｃを内装する空間１１０を有すると共に、上端に首部骨格Ｅの首部外皮挿着部８９を挿着する開口１１１を有し、かつ両肩位置には左右の腕部骨格Ｄを連結する連結空間１１２を有する全体中空の胴部形状に形成されている。また、本実施例では、この胴部外皮Ｈを、腹部外皮Ｈ２と胸部外皮Ｈ３の二部構成としている。
腹部外皮Ｈ２は、上下端を開口した内部中空状で、かつ所望な外観形状とし、腹骨格部Ｃ１の第一嵌入杆５４を下端開口１１３から突出させると共に、第二嵌入杆５６を上端開口１１４から突出させた状態でその中空部１１５に腹骨格部Ｃ１を内装する。
また、この腹部外皮Ｈ２は、下端Ｈ１を腰部外皮Ｇ内に挿入すると共に、上端Ｈ４を胸部外皮Ｈ３内に挿入している。
一方、胸部外皮Ｈ３は、図３，図４に示すように、首部骨格Ｅの首部外皮挿着部８９を嵌入する首部外皮Ｈ５が、上端に一体的に形成されると共に、下端Ｈ６を開口した内部中空状で、かつ所望な外観形状とし、その中空部１１６に胸骨格部Ｃ２を内装し、腹部外皮Ｈ２の上端Ｈ４を下端開口１１７から挿入する。左右の腕部骨格連結部５８は、夫々連結空間１１２に位置する。
この腹部外皮Ｈ２と胸部外皮Ｈ３の外観形状は特に限定されないが、好ましくは人間の腹部分と胸より上の部分に対応する形状を忠実に模写した外観形状とするのがよい。
【００８３】
左右の腕部外皮Ｊは、図３，図４，図１２乃至図１４に示すように、左右の腕部骨格Ｄを被覆して備えられる上腕外皮Ｊ１，下腕外皮Ｊ２及び手部外皮Ｊ３とからなる。
上腕外皮Ｊ１は、図３，図４，図１２，図１３に示すように、上端に設けた開口１１８の径方向内方に、上記肩部５９の上腕外皮上端嵌着部６２の嵌合凹部（段部）６４に嵌着される開口縁１１９を突設すると共に、下端に設けた開口１２０の径方向に、上記肘部６８の上腕外皮下端嵌着部６９の嵌合凹部（段部）７２に嵌着される開口縁１２１を突設してなる全体中空筒状に形成されている。この上腕外皮Ｊ１は、特に限定されないが、好ましくは人間の肩下位置から肘上位置までの外観形状を忠実に模写した外観形状とするのがよい。
【００８４】
下腕外皮Ｊ２は、図３，図４，図１３，図１４に示すように、上端に設けた開口１２２の径方向内方に、上記肘部６８の下腕外皮上端嵌着部７０の嵌合凹部（段部）７２に嵌着される開口縁１２３を突設すると共に、下端に設けた開口１２４の径方向に、上記手首部７８の下腕外皮下端嵌着部７９の嵌合凹部（段部）８８に嵌着される開口縁１２５を突設してなる全体中空筒状に形成されている。この下腕外皮Ｊ２は、特に限定されないが、好ましくは人間の肘下位置から手首位置までの外観形状を忠実に模写した外観形状とするのがよい。
【００８５】
手部外皮Ｊ３は、図３，図４，図１４に示すように、開口１２６の径方向内方に、上記手首部７８の手部外皮嵌着部８２の嵌合凹部（段部）８４に嵌着される開口縁１２７を突設した全体中空の手形状に形成されている。この手部外皮Ｊ３は、特に限定されないが、好ましくは人間の手の外観形状を忠実に模写した外観形状とするのがよい。
【００８６】
頭部外皮Ｋは、図３，図４に示すように、上記胴部外皮Ｈの首部外皮Ｈ５に挿着されて備えられる首部骨格Ｅの頭部外皮嵌着部９１と首部外皮挿着部８９との間の嵌合凹部９６に嵌着する開口縁１２８を設けて、所望な頭部形状に形成されている。
製造工程は実施例１で説明したとおりである。
開口縁１２８の内径は、頭部外皮嵌着部９１の下面９１ａの径と首部外皮挿着部８９の上面８９ａの径よりも小径で、この頭部外皮嵌着部９１を押し込み挿入可能な径とする。
なお、その他の構造にあっては、実施例１の説明を援用し説明は省略する。
【００８７】
本実施例によれば、自立が可能で技術的構造を有すると共に、軽量・コスト安価な大型の人形を提供することができ、需要者ニーズに十分応えることができる。すなわち、本発明特有の骨格構造を採用したことで、大型の人形において外皮部分をソフトビニル製で構成しても、自立が可能で、かつ様々な姿態を一定時間維持できると共に、軽量でかつ軟質なため、落下・転倒などしても安全で、破損も防げる。
【００８８】
また、例えば足首部の下脚外皮下端嵌着部と膝部の下脚外皮上端嵌着部との間にわたって嵌脱自在に掛け渡される脛用補強連結杆や、脚付け根部の上脚外皮上端嵌着部と膝部の上脚外皮下端嵌着部との間にわたって嵌脱自在に掛け渡される太腿用補強連結杆などの骨格部分を交換してその長さを変更することにより、簡単に脚部長さなどの変更に対応できる。例えば、脛用補強連結杆や太腿用補強連結杆などの骨格にあっては、その径が同一で長さのみ異なるタイプのものを複数種用意しておけば、足首部の下脚外皮下端嵌着部および膝部の下脚外皮上端嵌着部、または脚付け根部の上脚外皮上端嵌着部と膝部の上脚外皮下端嵌着部などの骨格はそのまま使用できるため、脚部等の長さの異なる人形が容易かつ安価に提供できる。
【００８９】
さらに、外皮がソフトビニル製であるため製作容易（スラッシュ成形など）で、かつコスト安価なため、このような脚部長さなどの変更においても大変安価で、この種の大型可動人形の製作上大幅なコスト減となる。
また、この種の従来の大型人形が高価なのに対し、本発明では、夫々の骨格が着脱可能で、かつ夫々の外皮も着脱可能であるため、搬送費用低廉となり、結果的に製品価格も低く抑えることができるため需要者ニーズに応えることができる。さらに、パーツ・キット販売などにも対応でき大変新規有用である。また、組み立ても、ネジ止めなどに使用するドライバーなどの治具と、外皮嵌着時に、外皮を暖めて柔らかくする道具、例えばヘアドライヤーなどがあれば誰でも簡単かつスピーディーに組み立て・分解が成し得る。
【図面の簡単な説明】
【００９０】
【図１】本発明頭部構造の実施例１を示す概略断面図。
【図２】本発明頭部構造の製造方法の流れを示す概略図。
【図３】本発明の実施例２を一部切欠いて示す全体概略正面図。
【図４】本発明の実施例２を一部省略して示す全体概略側面図。
【図５】脚部骨格の足首部の一実施例を示す概略図で、（ａ）は側面図、（ｂ）は正面図、（ｃ）は脚部骨格の足首部の他の実施例を示す概略側面図。
【図６】脚部骨格の膝部の一実施例を示す概略図で、（ａ）は正面図、（ｂ）は背面図、（ｃ）は側面図。
【図７】脚部骨格の脚付け根部の一実施例を示す概略図で、（ａ）は側面図、（ｂ）は縦断正面図。
【図８】腰部骨格の一実施例を示す概略図で、（ａ）は正面図、（ｂ）は側面図。
【図９】胴部骨格のうちの胸骨格部の一実施例を示す概略図で、（ａ）は正面図、（ｂ）は側面図。
【図１０】胴部骨格のうちの腹骨格部の一実施例を示す概略図で、（ａ）は正面図、（ｂ）は側面図。
【図１１】首部骨格の一実施例を示す概略分解図。
【図１２】腕部骨格のうちの肩部の一実施例を示す概略図で、（ａ）は側面図、（ｂ）は正面図。
【図１３】腕部骨格のうちの肘部の一実施例を示す概略図で、（ａ）は正面図、（ｂ）は側面図、（ｃ）は背面図。
【図１４】腕部骨格のうちの手首部の一実施例を示す概略図で、（ａ）は側面図、（ｂ）は正面図。
【図１５】従来技術の一例を示す一部拡大断面図。
【符号の説明】
【００９１】
Ｋ：軟質製頭部本体（頭部外皮）
Ｋ１：眼球保持部
Ｋ１１：眼球露出穴
Ｋ１２：眼球嵌入穴
Ｋ２：操作開口部
Ｋ３：蓋部
Ｋ４：眼球
Ｋ４１：眼球本体
Ｋ４２：眼球遊動操作部
【図１】
2005118341.tif 000003
【図２】
2005118341.tif 000004
【図３】
2005118341.tif 000005
【図４】
2005118341.tif 000006
【図５】
2005118341.tif 000007
【図６】
2005118341.tif 000008
【図７】
2005118341.tif 000009
【図８】
2005118341.tif 000010
【図９】
2005118341.tif 000011
【図１０】
2005118341.tif 000012
【図１１】
2005118341.tif 000013
【図１２】
2005118341.tif 000014
【図１３】
2005118341.tif 000015
【図１４】
2005118341.tif 000016
【図１５】
2005118341.tif 000017